(57)【特許請求の範囲】
【請求項１】
第１セルと第２セルとを備えており、前記第１セルと前記第２セルとが重複する重複領域を含み、直交する複数のサブキャリアを用いて移動局が上り方向信号を送信する移動通信システムであって、
前記第１セルに設けられた第１基地局は、
前記第１セルに在圏する複数の移動局から受信する上り方向信号の受信時間差が所定閾値内に収まるように、前記第１セルに在圏する複数の移動局が上り方向信号を送信する送信タイミングを揃える第１制御部を有しており、
前記第２セルに設けられた第２基地局は、
前記第１セルに在圏する複数の移動局の前記送信タイミングが揃えられたことを示す制御済み通知を前記第１基地局から受信する第２受信部と、
前記第２セルに在圏する複数の移動局から受信する上り方向信号の受信時間差が所定閾値内に収まるように、前記第２セルに在圏する複数の移動局が上り方向信号を送信する送信タイミングを揃える第２制御部とを有しており、
前記第２制御部は、前記制御済み通知を受信した後に、前記第２セルに在圏する複数の移動局の前記送信タイミングを揃えることを特徴とする移動通信システム。
【請求項２】
第１セルと第２セルとを備えており、前記第１セルと前記第２セルとが重複する重複領域を含み、直交する複数のサブキャリアを用いて移動局が上り方向信号を送信する移動通信システムにおいて、複数の移動局が上り方向信号を送信する送信タイミングを揃える移動通信方法であって、
前記第１セルに設けられた第１基地局が、前記第１セルに在圏する複数の移動局から受信する上り方向信号の受信時間差が所定閾値内に収まるように、前記第１セルに在圏する複数の移動局が上り方向信号を送信する送信タイミングを揃えるステップＡと、
前記第２セルに設けられた第２基地局が、前記第１セルに在圏する複数の移動局の前記送信タイミングが揃えられたことを示す制御済み通知を前記第１基地局から受信するステップＢと、
前記第２基地局が、前記第２セルに在圏する複数の移動局から受信する上り方向信号の受信時間差が所定閾値内に収まるように、前記第２セルに在圏する複数の移動局が上り方向信号を送信する送信タイミングを揃えるステップＣとを含み、
前記ステップＣは、前記ステップＢで前記制御済み通知を受信した後に行われることを特徴とする移動通信方法。
【請求項３】
第１セルと第２セルとを備えており、前記第１セルと前記第２セルとが重複する重複領域を含み、直交する複数のサブキャリアを用いて移動局が上り方向信号を送信する移動通信システムにおいて、前記第１セルに設けられた基地局であって、
前記第１セルに在圏する複数の移動局から受信する上り方向信号の受信時間差が所定閾値内に収まるように、前記第１セルに在圏する複数の移動局が上り方向信号を送信する送信タイミングを揃える第１制御部と、
前記第１セルに在圏する複数の移動局の前記送信タイミングが揃えられたことを示す制御済み通知を、前記第２セル内に設けられた他の基地局に送信する第１送信部とを備えることを特徴とする基地局。
【請求項４】
第１セルと第２セルとを備えており、前記第１セルと前記第２セルとが重複する重複領域を含み、直交するサブキャリアを用いて移動局が上り方向信号を送信する移動通信システムにおいて、前記第２セルに設けられた基地局であって、
前記第１セルに在圏する複数の移動局が上り方向信号を送信する送信タイミングが揃えられたことを示す制御済み通知を、前記第１セル内に設けられた他の基地局から受信する第２受信部と、
前記第２セルに在圏する複数の移動局から受信する上り方向信号の受信時間差が所定閾値内に収まるように、前記第２セルに在圏する複数の移動局が上り方向信号を送信する送信タイミングを揃える第２制御部とを備え、
前記第２制御部は、前記制御済み通知を受信した後に、前記第２セルに在圏する複数の移動局の前記送信タイミングを揃えることを特徴とする基地局。
【請求項５】
前記第１セルのエリア面積は、前記第２セルのエリア面積よりも大きいことを特徴とする請求項４に記載の基地局。
【請求項６】
前記第２制御部は、前記第１セルに在圏する複数の移動局から受信する上り方向信号のうち、受信電力レベルが最も大きい上り方向信号である基準上り方向信号の受信タイミングを基準として、前記第２セルに在圏する複数の移動局の前記送信タイミングを揃えることを特徴とする請求項５に記載の基地局。
【請求項７】
前記第２制御部は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が最も大きい上り方向信号である基準上り方向信号の受信タイミングを基準として、前記第２セルに在圏する複数の移動局の前記送信タイミングを揃えることを特徴とする請求項５に記載の基地局。
【請求項８】
前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を受信する少なくとも一つのアンテナのゲインを縮小し、
前記基準上り方向信号は、前記第１セルに在圏する複数の移動局から受信する上り方向信号のうち、受信電力レベルが所定レベルよりも大きい上り方向信号であることを特徴とする請求項５に記載の基地局。
【請求項９】
前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を受信する少なくとも一つのアンテナのゲインを縮小し、
前記基準上り方向信号は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が所定時間差よりも大きい上り方向信号であることを特徴とする請求項５に記載の基地局。
【請求項１０】
前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を送信する少なくとも一つの移動局に対して、前記基準上り方向信号の送信電力の低減を指示し、
前記基準上り方向信号は、前記第１セルに在圏する複数の移動局から受信する上り方向信号のうち、受信電力レベルが所定レベルよりも大きい上り方向信号であることを特徴とする請求項５に記載の基地局。
【請求項１１】
前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を送信する少なくとも一つの移動局に対して、前記基準上り方向信号の送信電力の低減を指示し、
前記基準上り方向信号は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が所定時間差よりも大きい上り方向信号であることを特徴とする請求項５に記載の基地局。
【発明の詳細な説明】
【技術分野】
【０００１】
第１セルと第２セルとが重複する重複領域を含み、直交する複数のサブキャリアを用いて移動局が上り方向信号を送信する移動通信システム、移動通信システムに適用される移動通信方法及び基地局に関する。
【背景技術】
【０００２】
従来、直交する複数のサブキャリアを用いた方式が採用された移動通信システムが知られている。このような方式としては、例えば、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などが挙げられる。
【０００３】
このような移動通信システムでは、各移動局から送信された上り方向信号を基地局が受信する時間差（以下、受信時間差）が所定閾値（ＣＰ；Ｃｙｃｌｉｃ  Ｐｒｅｆｉｘ）内に収まらない場合に、サブキャリア間の直交性が崩れてしまい、上り方向信号の受信特性が劣化する。
【０００４】
上り方向信号の受信特性の向上を図るために、各移動局が基地局に上り方向信号を送信するタイミングを制御する技術が提案されている（例えば、非特許文献１）。
【０００５】
具体的には、基地局から移動局に送信される下り方向信号に対して各移動局の同期がとられた状態で、各移動局が制御信号を基地局に送信する。一方で、基地局は、各移動局から送信された制御信号を受信する時間（以下、受信タイミング）を検出する。
【０００６】
続いて、基地局は、各移動局から受信する上り方向信号の受信時間差が所定閾値内に収まるように、各移動局が上り方向信号を送信する時間（以下、送信タイミング）を算出する。すなわち、基地局は、制御信号の受信タイミングに応じて、受信タイミングが所定閾値内に収まるように各移動局の送信タイミングを算出する。
【０００７】
基地局は、送信タイミングを示す制御信号（送信タイミング制御信号）を各移動局に送信する。一方で、各移動局は、送信タイミング制御信号に応じて、上り方向信号の送信タイミングを制御する。
【０００８】
このように、基地局が各移動局の送信タイミングを制御することによって、基地局が受信する上り方向信号の受信タイミングが所定閾値内に収められている。
【非特許文献１】３ＧＰＰ  ＴＲ  ２５．８１４  Ｖ７．１．０
【発明の開示】
【発明が解決しようとする課題】
【０００９】
近年、トラフィック量を効率的に分散することなどを目的として、マクロセル、マイクロセル、ピコセルなどのように、エリア面積が異なる複数種類のセルを有する移動通信システムが提案されている。移動通信システムでは、エリア面積が異なる複数種類のセルが重複する領域（以下、重複領域）を有していることがある。
【００１０】
例えば、複数種類のセルが重複領域を有する構成（オーバレイ構成）としては、トラフィック量が集中するホットスポットがマクロセルに含まれる場合に、ホットスポットをカバーするマイクロセルを設けることによって、マクロセルのトラフィックをマイクロセルに分散する構成が考えられる。また、オーバレイ構成としては、ビルをカバーする簡易基地局、固定電話と携帯電話との融合（ＦＭＣ；Ｆｉｘｅｄ  ａｎｄ  Ｍｏｂｉｌｅ  Ｃｏｎｖｅｒｇｅｎｃｅ）を実現するフェムトセルなども考えられる。
【００１１】
このようなオーバレイ構成では、重複領域に在圏する移動局が一方のセル（一方の基地局）に送信する上り方向信号は、他方のセル（他方の基地局）が受信する上り方向信号に干渉する。重複領域を有するセル間で周波数帯域を分けることによって干渉を回避することも考えられるが、周波数帯域は限られているため、周波数帯域を分けることができない場合がある。このとき、ＯＦＤＭＡやＳＣ−ＦＤＭＡでは、重複領域を有する各セルに異なるサブキャリアを割り当てることによって干渉を回避する方法が考えられる。
【００１２】
このような方法では、上述した従来技術のように、個々のセル内において上り方向信号の受信時間差を所定閾値内に収めたとしても、他のセルからの上り方向信号が所定閾値内に収まっていない場合には、サブキャリア間の直交性が崩れて上り方向信号の受信特性が劣化する。
【００１３】
そこで、本発明は、上述した課題を解決するためになされたものであり、オーバレイ構成において、上り方向信号の受信特性の向上を図ることを可能とする移動通信システム、移動通信システムに適用される移動通信方法及び基地局を提供することを目的とする。
【課題を解決するための手段】
【００１４】
本発明の一の特徴では、第１セルと第２セルとを備えており、前記第１セルと前記第２セルとが重複する重複領域を含み、直交する複数のサブキャリアを用いて移動局が上り方向信号を送信する移動通信システムにおいて、前記第１セルに設けられた第１基地局（例えば、基地局２０Ａ）は、前記第１セルに在圏する複数の移動局から受信する上り方向信号の受信時間差が所定閾値内に収まるように、前記第１セルに在圏する複数の移動局が上り方向信号を送信する送信タイミングを揃える第１制御部（送信タイミング算出部２４Ａ）を有しており、前記第２セルに設けられた第２基地局（例えば、基地局２０Ｂ）は、前記第１セルに在圏する複数の移動局の前記送信タイミングが揃えられたことを示す制御済み通知を前記第１基地局から受信する第２受信部（第２受信部２２Ｂ）と、前記第２セルに在圏する複数の移動局から受信する上り方向信号の受信時間差が所定閾値内に収まるように、前記第２セルに在圏する複数の移動局が上り方向信号を送信する送信タイミングを揃える第２制御部（送信タイミング算出部２４Ｂ）とを有しており、前記第２制御部は、前記制御済み通知を受信した後に、前記第２セルに在圏する複数の移動局の前記送信タイミングを揃える。
【００１５】
かかる特徴によれば、第２セルに設けられた第２基地局は、第１セルに在圏する複数の移動局が上り方向信号を送信する送信タイミングが揃えられた後に、第２セルに在圏する複数の移動局から受信する上り方向信号の受信時間差が所定閾値内に収まるように、第２セルに在圏する複数の移動局が上り方向信号を送信する送信タイミングを揃える。
【００１６】
従って、エリア面積が異なる複数種類のセルがオーバレイ構成を有する場合であっても、上り方向信号の受信特性の向上を図ることができる。
【００１７】
本発明の一の特徴では、第１セルと第２セルとを備えており、前記第１セルと前記第２セルとが重複する重複領域を含み、直交する複数のサブキャリアを用いて移動局が上り方向信号を送信する移動通信システムにおいて、複数の移動局が上り方向信号を送信する送信タイミングを揃える移動通信方法は、前記第１セルに設けられた第１基地局が、前記第１セルに在圏する複数の移動局から受信する上り方向信号の受信時間差が所定閾値内に収まるように、前記第１セルに在圏する複数の移動局が上り方向信号を送信する送信タイミングを揃えるステップＡと、前記第２セルに設けられた第２基地局が、前記第１セルに在圏する複数の移動局の前記送信タイミングが揃えられたことを示す制御済み通知を前記第１基地局から受信するステップＢと、前記第２基地局が、前記第２セルに在圏する複数の移動局から受信する上り方向信号の受信時間差が所定閾値内に収まるように、前記第２セルに在圏する複数の移動局が上り方向信号を送信する送信タイミングを揃えるステップＣとを含み、前記ステップＣは、前記ステップＢで前記制御済み通知を受信した後に行われる。
【００１８】
本発明の一の特徴では、第１セルと第２セルとを備えており、前記第１セルと前記第２セルとが重複する重複領域を含み、直交する複数のサブキャリアを用いて移動局が上り方向信号を送信する移動通信システムにおいて、前記第１セルに設けられた基地局（例えば、基地局２０Ａ）は、前記第１セルに在圏する複数の移動局から受信する上り方向信号の受信時間差が所定閾値内に収まるように、前記第１セルに在圏する複数の移動局が上り方向信号を送信する送信タイミングを揃える第１制御部（送信タイミング算出部２４Ａ）と、前記第１セルに在圏する複数の移動局の前記送信タイミングが揃えられたことを示す制御済み通知を、前記第２セル内に設けられた他の基地局に送信する第１送信部（第２送信部２６Ａ）とを備える。
【００１９】
本発明の一の特徴では、第１セルと第２セルとを備えており、前記第１セルと前記第２セルとが重複する重複領域を含み、直交するサブキャリアを用いて移動局が上り方向信号を送信する移動通信システムにおいて、前記第２セルに設けられた基地局（例えば、基地局２０Ｂ）は、前記第１セルに在圏する複数の移動局が上り方向信号を送信する送信タイミングが揃えられたことを示す制御済み通知を、前記第１セル内に設けられた他の基地局から受信する第２受信部（第２受信部２２Ｂ）と、前記第２セルに在圏する複数の移動局から受信する上り方向信号の受信時間差が所定閾値内に収まるように、前記第２セルに在圏する複数の移動局が上り方向信号を送信する送信タイミングを揃える第２制御部（送信タイミング算出部２４Ｂ）とを備え、前記第２制御部は、前記制御済み通知を受信した後に、前記第２セルに在圏する複数の移動局の前記送信タイミングを揃える。
【００２０】
本発明の上述した特徴において、前記第１セルのエリア面積は、前記第２セルのエリア面積よりも大きいことが好ましい。
【００２１】
本発明の上述した特徴において、前記第２制御部は、基準上り方向信号の受信タイミングを基準として、前記第２セルに在圏する複数の移動局の前記送信タイミングを揃え、前記基準上り方向信号は、前記第１セルに在圏する複数の移動局から受信する上り方向信号のうち、受信電力レベルが最も大きい上り方向信号であることが好ましい。
【００２２】
本発明の上述した特徴において、前記第２制御部は、基準上り方向信号の受信タイミングを基準として、前記第２セルに在圏する複数の移動局の前記送信タイミングを揃え、前記基準上り方向信号は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が最も大きい上り方向信号であることが好ましい。
【００２３】
本発明の上述した特徴において、前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を受信する少なくとも一つのアンテナのゲインを縮小し、前記基準上り方向信号は、前記第１セルに在圏する複数の移動局から受信する上り方向信号のうち、受信電力レベルが所定レベルよりも大きい上り方向信号であることが好ましい。
【００２４】
本発明の上述した特徴において、前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を受信する少なくとも一つのアンテナのゲインを縮小し、前記基準上り方向信号は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が所定時間差よりも大きい上り方向信号であることが好ましい。
【００２５】
本発明の上述した特徴において、前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を送信する少なくとも一つの移動局に対して、前記基準上り方向信号の送信電力の低減を指示し、前記基準上り方向信号は、前記第１セルに在圏する複数の移動局から受信する上り方向信号のうち、受信電力レベルが所定レベルよりも大きい上り方向信号であることが好ましい。
【００２６】
本発明の上述した特徴において、前記第２制御部は、基準上り方向信号が複数であり、前記第２セルに在圏する複数の移動局から受信する上り方向信号と前記基準上り方向信号との受信時間差を前記所定閾値内に収められない場合に、前記基準上り方向信号を送信する少なくとも一つの移動局に対して、前記基準上り方向信号の送信電力の低減を指示し、前記基準上り方向信号は、前記第１セルに在圏する複数の移動局から受信する上り方向信号のうち、受信電力レベルが所定レベルよりも大きい上り方向信号であり、かつ、前記第２セルに在圏する複数の移動局から受信する上り方向信号との受信時間差が所定時間差よりも大きい上り方向信号であることが好ましい。
【発明の効果】
【００２７】
本発明によれば、オーバレイ構成において、上り方向信号の受信特性の向上を図ることを可能とする移動通信システム、移動通信システムに適用される移動通信方法及び基地局を提供することができる。
【発明を実施するための最良の形態】
【００２８】
以下において、本発明の実施形態に係る移動通信システムについて、図面を参照しながら説明する。なお、以下の図面の記載において、同一又は類似の部分には、同一又は類似の符号を付している。
【００２９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００３０】
［第１実施形態］
（移動通信システムの構成）
以下において、第１実施形態に係る移動通信システムの構成について、図面を参照しながら説明する。図１は、第１実施形態に係る移動通信システムの構成を示す図である。
【００３１】
図１に示すように、移動通信システムは、複数の移動局１０（移動局１０Ａ〜移動局１０Ｈ）と、複数の基地局２０（基地局２０Ａ〜基地局２０Ｃ）とを有する。移動通信システムは、エリア面積が異なる複数のセル（セルＡ〜セルＣ）を含む。
【００３２】
移動局１０は、自局が在圏するセルに設けられた基地局２０と無線通信を行う。具体的には、移動局１０は、直交する複数のサブキャリアを用いた方式で上り方向信号を基地局２０に送信する。このような方式としては、例えば、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などが挙げられる。
【００３３】
例えば、移動局１０Ａ〜移動局１０Ｄは、セルＡに在圏しており、セルＡに設けられた基地局２０Ａと無線通信を行う。移動局１０Ｅ及び移動局１０Ｆは、セルＢに在圏しており、セルＢに設けられた基地局２０Ｂと無線通信を行う。移動局１０Ｇ及び移動局１０Ｈは、セルＣに在圏しており、セルＣに設けられた基地局２０Ｃと無線通信を行う。
【００３４】
基地局２０は、自局が管理するセルに在圏する移動局１０と無線通信を行う。例えば、基地局２０Ａは、セルＡに在圏する移動局１０Ａ〜移動局１０Ｄと無線通信を行う。基地局２０Ｂは、セルＢに在圏する移動局１０Ｅ及び移動局１０Ｆと無線通信を行う。基地局２０Ｃは、セルＢに在圏する移動局１０Ｇ及び移動局１０Ｈと無線通信を行う。
【００３５】
ここで、移動通信システムに設けられた各セルは、オーバレイ構成を有しいていることに留意すべきである。具体的には、セルＡとセルＢとが重複する重複領域（ここでは、セルＢ全域）が設けられている。同様に、セルＡとセルＣとが重複する重複領域（ここでは、セルＣ全域）が設けられている。
【００３６】
第１実施形態では、セルＡのエリア面積は、セルＢのエリア面積又はセルＣのエリア面積よりも大きい。従って、以下においては、セルＡを大セルＡと称する。一方で、セルＢを小セルＢと称し、セルＣを小セルＣと称する。
【００３７】
ここで、大セルＡに在圏する移動局１０（例えば、移動局１０Ｃ）が送信する上り方向信号は、小セルＢに在圏する移動局１０から基地局２０Ｂが受信する上り方向信号に干渉する可能性がある。同様に、大セルＡに在圏する移動局１０（例えば、移動局１０Ｄ）が送信する上り方向信号は、小セルＣに在圏する移動局１０から基地局２０Ｃが受信する上り方向信号に干渉する可能性がある。
【００３８】
一方で、小セルＢ又は小セルＣに在圏する移動局１０が送信する上り方向信号は、大セルＡに在圏する移動局１０（例えば、移動局１０Ｃ及び移動局１０Ｄ）から基地局２０Ａが受信する上り方向信号に干渉する可能性がある。
【００３９】
なお、上り方向信号の受信時刻差が所定閾値（ＣＰ；Ｃｙｃｌｉｃ  Ｐｒｅｆｉｘ）内に収まるように、上り方向信号の送信タイミングをセル単位で個別に揃えたとしても、このような干渉が解消されないことに留意すべきである。
【００４０】
（移動局の構成）
以下において、第１実施形態に係る移動局の構成について、図面を参照しながら説明する。図２は、第１実施形態に係る移動局１０の構成を示すブロック図である。
【００４１】
図２に示すように、移動局１０は、受信部１１と、送信タイミング制御部１２と、送信部１３とを有する。
【００４２】
受信部１１は、データ信号や制御信号を基地局２０から受信する。具体的には、受信部１１は、上り方向信号の送信タイミングを示す制御信号（送信タイミング制御信号）を受信する。
【００４３】
送信タイミング制御部１２は、上り方向信号の送信タイミングを制御する。具体的には、送信タイミング制御部１２は、送信タイミング制御信号に応じて、上り方向信号の送信タイミングを制御する。
【００４４】
送信部１３は、データ信号や制御信号などの上り方向信号を基地局２０に送信する。具体的には、送信部１３は、自局のＴＴＩの開始タイミングなどで上り方向信号を送信する。また、送信部１３は、送信タイミング制御部１２によって制御された送信タイミングで上り方向信号を送信する。
【００４５】
（大セルに設けられた基地局の構成）
以下において、第１実施形態に係る基地局の構成について、図面を参照しながら説明する。図３は、第１実施形態に係る基地局２０（大セル）の構成を示すブロック図である。大セルに設けられた基地局２０として、上述した基地局２０Ａを例に挙げて説明する。
【００４６】
図３に示すように、基地局２０Ａは、受信部２１Ａと、基準タイミング特定部２３Ａと、送信タイミング算出部２４Ａと、第１送信部２５Ａと、第２送信部２６Ａを有する。
【００４７】
受信部２１Ａは、大セルＡに在圏する移動局１０から上り方向信号を受信する。
【００４８】
基準タイミング特定部２３Ａは、大セルＡに在圏する移動局１０から受信する上り方向信号の受信時間（受信タイミング）を揃える基準とされる基準タイミングを特定する。
【００４９】
例えば、基準タイミングは、予め定められたタイミング（例えば、自局のＴＴＩの開始タイミング）であってもよい。基準タイミングは、大セルＡに在圏する移動局１０から受信する上り方向信号のうち、最も早く受信する上り方向信号であってもよい。基準タイミングは、大セルＡに在圏する移動局１０から受信する上り方向信号のうち、受信レベルが最も大きい上り方向信号の受信タイミングであってもよい。
【００５０】
送信タイミング算出部２４Ａは、大セルＡに在圏する移動局１０が上り方向信号を送信すべきタイミング（送信タイミング）を移動局１０毎に算出する。
【００５１】
具体的には、送信タイミング算出部２４Ａは、大セルＡに在圏する移動局１０から受信する上り方向信号の受信時間差が所定閾値（ＣＰ）内に収まるように、上り方向信号の送信タイミングを算出する。例えば、送信タイミング算出部２４Ａは、基準タイミング特定部２３Ａによって特定された基準タイミングと各上り方向信号の受信タイミングとの差が所定閾値（ＣＰ）内に収まるように、上り方向信号の送信タイミングを算出する。
【００５２】
第１送信部２５Ａは、データ信号や制御信号などを大セルＡに在圏する移動局１０に送信する。具体的には、第１送信部２５Ａは、送信タイミング算出部２４Ａによって移動局１０毎に算出された送信タイミングを示す制御信号（送信タイミング制御信号）を、大セルＡに在圏する各移動局１０に送信する。
【００５３】
第２送信部２６Ａは、他の基地局２０（小セルに設けられた基地局２０）に制御情報を送信する。具体的には、第２送信部２６Ａは、大セルＡに在圏する移動局１０が送信する上り方向信号の送信タイミングが揃えられたことを示す制御済み通知（制御情報）を他の基地局２０に送信する。
【００５４】
なお、第２送信部２６Ａは、無線制御装置（ＲＮＣ）などを介して、制御情報を他の基地局２０に送信してもよい。第２送信部２６Ａは、無線制御装置（ＲＮＣ）などを介さずに、制御情報を他の基地局２０に直接的に送信してもよい。
【００５５】
（小セルに設けられた基地局の構成）
以下において、第１実施形態に係る基地局の構成について、図面を参照しながら説明する。図４は、第１実施形態に係る基地局２０（小セル）の構成を示すブロック図である。小セルに設けられた基地局２０として、上述した基地局２０Ｂを例に挙げて説明する。
【００５６】
図４に示すように、基地局２０Ｂは、第１受信部２１Ｂと、第２受信部２２Ｂと、基準タイミング特定部２３Ｂと、送信タイミング算出部２４Ｂと、送信部２５Ｂとを有する。
【００５７】
第１受信部２１Ｂは、小セルＡに在圏する移動局１０から上り方向信号を受信する。
【００５８】
第２受信部２２Ｂは、他の基地局２０（大セルに設けられた基地局２０）から制御情報を受信する。具体的には、第２受信部２２Ｂは、大セルＡに在圏する移動局１０が送信する上り方向信号の送信タイミングが揃えられたことを示す制御済み通知（制御情報）を他の基地局２０から受信する。
【００５９】
基準タイミング特定部２３Ｂは、小セルＢに在圏する移動局１０から受信する上り方向信号の受信時間（受信タイミング）を揃える基準とされる基準タイミングを特定する。
【００６０】
例えば、基準タイミングは、予め定められたタイミング（例えば、自局のＴＴＩの開始タイミング）であってもよい。基準タイミングは、大セルＡに在圏する移動局１０から小セルＢに設けられた基地局２０Ｂが受信する基準上り方向信号の受信タイミングであってもよい。
【００６１】
基準上り方向信号は、例えば、大セルＡに在圏する移動局１０から小セルＢに設けられた基地局２０Ｂが受信する上り方向信号のうち、基地局２０Ｂにおける受信レベルが所定レベルよりも大きい上り方向信号や基地局２０Ｂにおける受信レベルが最も大きい上り方向信号である。
【００６２】
基準上り方向信号は、例えば、大セルＡに在圏する移動局１０から小セルＢに設けられた基地局２０Ｂが受信する上り方向信号のうち、小セルＢに在圏する移動局１０から受信する上り方向信号との受信時間差が所定時間差よりも大きい上り方向信号や小セルＢに在圏する移動局１０から受信する上り方向信号との受信時間差が最も大きい上り方向信号である。
【００６３】
基準上り方向信号は、例えば、大セルＡに在圏する移動局１０から小セルＢに設けられた基地局２０Ｂが受信する上り方向信号のうち、受信レベルが所定レベルよりも大きい上り方向信号であり、かつ、小セルＢに在圏する移動局１０から受信する上り方向信号との受信時間差が所定時間差よりも大きい上り方向信号である。
【００６４】
送信タイミング算出部２４Ｂは、大セルに設けられた基地局２０（基地局２０Ａ）から制御済み通知を受信した後に、小セルＢに在圏する移動局１０が上り方向信号を送信すべきタイミング（送信タイミング）を移動局１０毎に算出する。
【００６５】
具体的には、送信タイミング算出部２４Ｂは、小セルＢに在圏する移動局１０から受信する上り方向信号の受信時間差が所定閾値（ＣＰ）内に収まるように、上り方向信号の送信タイミングを算出する。例えば、送信タイミング算出部２４Ｂは、基準タイミング特定部２３Ｂによって特定された基準タイミングと各上り方向信号の受信タイミングとの差が所定閾値（ＣＰ）内に収まるように、上り方向信号の送信タイミングを算出する。
【００６６】
送信部２５Ｂは、データ信号や制御信号などを小セルＢに在圏する移動局１０に送信する。具体的には、送信部２５Ｂは、送信タイミング算出部２４Ｂによって移動局１０毎に算出された送信タイミングを示す制御信号（送信タイミング制御信号）を、小セルＢに在圏する各移動局１０に送信する。
【００６７】
（受信時間差）
以下において、第１実施形態に係る受信時間差について、図面を参照しながら説明する。図５は、第１実施形態に係る受信時間差について説明するための図である。なお、図５では、移動局１０Ａ〜移動局１０Ｃが送信する上り方向信号の送信タイミングが揃えられていない状態である。なお、時刻ｔ０は、例えば、基地局２０Ａが上り方向信号を受信すべきタイミング（予め定められた基準タイミング）である。
【００６８】
基地局２０Ａは、基地局２０Ａが管理するセル内における移動局１０Ａの位置に応じて上り方向信号に遅延時間が生じるため、移動局１０Ａからの上り方向信号を時刻ｔ１で受信する。同様に、基地局２０Ａは、移動局１０Ｂからの上り方向信号を時刻ｔ２で受信し、移動局１０Ｃからの上り方向信号を時刻ｔ３で受信する。
【００６９】
ここで、基地局２０Ａは、遅延時間が最小である時刻ｔ１と遅延時間が最大である時刻ｔ３との差（受信時間差）が所定閾値（ＣＰ）内に収まるように、各移動局１０の上り方向信号の送信タイミングを揃える。
【００７０】
なお、基地局２０Ａは、時刻ｔ０と時刻ｔ１（時刻ｔ２及び時刻ｔ３）との差（受信時間差）が所定閾値（ＣＰ）内に収まるように、各移動局１０の上り方向信号の送信タイミングを揃えてもよい。また、基地局２０Ａは、移動局１０Ａ〜移動局１０Ｃから受信する上り方向信号のうち、受信レベルが最も大きい上り方向信号を基準として、上り方向信号の受信時間差が所定閾値（ＣＰ）内に収まるように、各移動局１０の上り方向信号の送信タイミングを揃えてもよい。
【００７１】
（移動通信方法）
以下において、第１実施形態に係る移動通信方法について、図面を参照しながら説明する。
【００７２】
最初に、大セルに設けられた基地局２０及び大セルに在圏する移動局１０の動作について、図６を参照しながら説明する。図６では、大セルに設けられた基地局２０として、大セルＡに設けられた基地局２０Ａを例に挙げる。
【００７３】
図６に示すように、ステップ１０Ａにおいて、移動局１０Ａは、自局のＴＴＩの開始タイミングなどで上り方向信号を基地局２０Ａに送信する。なお、移動局１０Ａは、基地局２０Ａと同期がとられていない状態で、ＲＡＣＨ（Ｒａｎｄｏｍ  Ａｃｃｅｓｓ  Ｃｈａｎｎｅｌ）などの上り方向信号を送信してもよい。また、移動局１０Ａは、基地局２０Ａと同期がとられた状態で上り方向信号を送信してもよい。同様に、ステップ１０Ｂにおいて、移動局１０Ｂは、自局のＴＴＩの開始タイミングなどで上り方向信号を基地局２０Ａに送信する。なお、移動局１０Ｂは、基地局２０Ａと同期がとられていない状態で、ＲＡＣＨなどの上り方向信号を送信してもよい。また、移動局１０Ｂは、基地局２０Ａと同期がとられた状態で上り方向信号を送信してもよい。
【００７４】
ステップ１１において、基地局２０Ａは、大セルＡに在圏する移動局１０から受信する上り方向信号の基準タイミングを特定する。
【００７５】
ステップ１２において、基地局２０Ａは、大セルＡに在圏する移動局１０から受信する上り方向信号の受信タイミングと基準タイミングとの差（受信時間差）を取得する。
【００７６】
ステップ１３において、基地局２０Ａは、受信時間差が所定閾値（ＣＰ）内に収まるように、大セルＡに在圏する移動局１０が上り方向信号を送信する時間（送信タイミング）を移動局１０毎に算出する。
【００７７】
ステップ１４Ａにおいて、基地局２０Ａは、送信タイミングを示す制御信号（送信タイミング制御信号）を移動局１０Ａに送信する。同様に、ステップ１４Ｂにおいて、基地局２０Ａは、送信タイミングを示す制御信号（送信タイミング制御信号）を移動局１０Ｂに送信する。
【００７８】
ステップ１５Ａにおいて、移動局１０Ａは、送信タイミング制御信号に応じて、上り方向信号の送信タイミングを調整する。同様に、ステップ１５Ｂにおいて、移動局１０Ｂは、送信タイミング制御信号に応じて、上り方向信号の送信タイミングを調整する。
【００７９】
ステップ１６Ａにおいて、移動局１０Ａは、ステップ１５Ａで調整された送信タイミングで上り方向信号を送信する。同様に、ステップ１６Ｂにおいて、移動局１０Ｂは、ステップ１５Ｂで調整された送信タイミングで上り方向信号を送信する。
【００８０】
次に、小セルに設けられた基地局２０及び小セルに在圏する移動局１０の動作について、図７を参照しながら説明する。図７では、小セルに設けられた基地局２０として、小セルＢに設けられた基地局２０Ｂを例に挙げる。
【００８１】
図７に示すように、ステップ２０において、基地局２０Ｂは、大セルＡに在圏する移動局１０が送信する上り方向信号の送信タイミングが揃えられたことを示す制御済み通知（制御情報）を基地局２０Ａから受信する。
【００８２】
ステップ２１Ｅにおいて、移動局１０Ｅは、自局のＴＴＩの開始タイミングなどで上り方向信号を基地局２０Ｂに送信する。なお、移動局１０Ｅは、基地局２０Ｂと同期がとられていない状態で、ＲＡＣＨなどの上り方向信号を送信してもよい。また、移動局１０Ｅは、基地局２０Ｂと同期がとられた状態で上り方向信号を送信してもよい。同様に、ステップ１０Ｆにおいて、移動局１０Ｆは、自局のＴＴＩの開始タイミングなどで上り方向信号を基地局２０Ｂに送信する。なお、移動局１０Ｆは、基地局２０Ｂと同期がとられていない状態で、ＲＡＣＨなどの上り方向信号を送信してもよい。また、移動局１０Ｆは、基地局２０Ｂと同期がとられた状態で上り方向信号を送信してもよい。
【００８３】
ステップ２２において、基地局２０Ｂは、小セルＢに在圏する移動局１０から受信する上り方向信号の基準タイミングを特定する。
【００８４】
例えば、基準タイミングは、予め定められたタイミング（例えば、自局のＴＴＩの開始タイミング）であってもよい。基準タイミングは、大セルＡに在圏する移動局１０から小セルＢに設けられた基地局２０Ｂが受信する基準上り方向信号の受信タイミングであってもよい。
【００８５】
上述したように、基準上り方向信号は、例えば、大セルＡに在圏する移動局１０から小セルＢに設けられた基地局２０Ｂが受信する上り方向信号のうち、基地局２０Ｂにおける受信レベルが所定レベルよりも大きい上り方向信号や基地局２０Ｂにおける受信レベルが最も大きい上り方向信号である。
【００８６】
基準上り方向信号は、例えば、大セルＡに在圏する移動局１０から小セルＢに設けられた基地局２０Ｂが受信する上り方向信号のうち、小セルＢに在圏する移動局１０から受信する上り方向信号との受信時間差が所定時間差よりも大きい上り方向信号や小セルＢに在圏する移動局１０から受信する上り方向信号との受信時間差が最も大きい上り方向信号である。
【００８７】
基準上り方向信号は、例えば、大セルＡに在圏する移動局１０から小セルＢに設けられた基地局２０Ｂが受信する上り方向信号のうち、受信レベルが所定レベルよりも大きい上り方向信号であり、かつ、小セルＢに在圏する移動局１０から受信する上り方向信号との受信時間差が所定時間差よりも大きい上り方向信号である。
【００８８】
ステップ２３において、基地局２０Ｂは、小セルＢに在圏する移動局１０から受信する上り方向信号の受信タイミングと基準タイミングとの差（受信時間差）を取得する。
【００８９】
ステップ２４において、基地局２０Ｂは、受信時間差が所定閾値（ＣＰ）内に収まるように、小セルＡに在圏する移動局１０が上り方向信号を送信する時間（送信タイミング）を移動局１０毎に算出する。
【００９０】
ステップ２５Ｅにおいて、基地局２０Ｂは、送信タイミングを示す制御信号（送信タイミング制御信号）を移動局１０Ｅに送信する。同様に、ステップ２５Ｆにおいて、基地局２０Ａは、送信タイミングを示す制御信号（送信タイミング制御信号）を移動局１０Ｆに送信する。
【００９１】
ステップ２６Ｅにおいて、移動局１０Ｅは、送信タイミング制御信号に応じて、上り方向信号の送信タイミングを調整する。同様に、ステップ２６Ｆにおいて、移動局１０Ｆは、送信タイミング制御信号に応じて、上り方向信号の送信タイミングを調整する。
【００９２】
ステップ２７Ｅにおいて、移動局１０Ｅは、ステップ２６Ｅで調整された送信タイミングで上り方向信号を送信する。同様に、ステップ２７Ｆにおいて、移動局１０Ｆは、ステップ２６Ｆで調整された送信タイミングで上り方向信号を送信する。
【００９３】
（受信タイミングの一例）
以下において、第１実施形態に係る受信タイミングの一例について、図面を参照しながら説明する。図８〜図１０は、第１実施形態に係る受信タイミングの一例について説明するための図である。
【００９４】
最初に、各移動局１０が送信する上り方向信号の送信タイミングが揃えられていない状態について、図８を参照しながら説明する。図８（Ａ）は、大セルＡに設けられた基地局２０Ａが受信する上り方向信号の受信タイミングを示す図である。図８（ｂ）は、小セルＢに設けられた基地局２０Ｂが受信する上り方向信号の受信タイミングを示す図である。図８（ｃ）は、小セルＣに設けられた基地局２０Ｃが受信する上り方向信号の受信タイミングを示す図である。
【００９５】
図８（Ａ）〜図８（Ｃ）に示すように、各移動局１０が送信する上り方向信号に遅延時間が生じるため、各基地局２０が受信する上り方向信号の受信時間差は、所定閾値（ＣＰ）内に収まっていない。
【００９６】
次に、大セルＡに在圏する移動局１０が送信する上り方向信号の送信タイミングが揃えられた状態について、図９を参照しながら説明する。図９（Ａ）は、大セルＡに設けられた基地局２０Ａが受信する上り方向信号の受信タイミングを示す図である。図９（ｂ）は、小セルＢに設けられた基地局２０Ｂが受信する上り方向信号の受信タイミングを示す図である。図９（ｃ）は、小セルＣに設けられた基地局２０Ｃが受信する上り方向信号の受信タイミングを示す図である。
【００９７】
図９（ａ）に示すように、大セルＡに在圏する移動局１０（移動局１０Ａ〜移動局１０Ｄ）から基地局２０Ａが受信する上り方向信号の受信時間差は、所定閾値（ＣＰ）内に収まっている。一方で、小セルＢ及び小セルＣに在圏する移動局１０（移動局１０Ｅ〜移動局１０Ｈ）から基地局２０Ａが受信する上り方向信号の受信時間差は、所定閾値（ＣＰ）内に収まっていない。
【００９８】
図９（ｂ）及び図９（ｃ）に示すように、基地局２０Ｂ及び基地局２０Ｃが各移動局１０から受信する上り方向信号の受信時間差は、所定閾値（ＣＰ）内に収まっていない。
【００９９】
最後に、小セルＢ及び小セルＣに在圏する移動局１０が送信する上り方向信号の送信タイミングが各小セルで個別に揃えられた状態について、図１０を参照しながら説明する。図１０（Ａ）は、大セルＡに設けられた基地局２０Ａが受信する上り方向信号の受信タイミングを示す図である。図１０（ｂ）は、小セルＢに設けられた基地局２０Ｂが受信する上り方向信号の受信タイミングを示す図である。図１０（ｃ）は、小セルＣに設けられた基地局２０Ｃが受信する上り方向信号の受信タイミングを示す図である。
【０１００】
なお、小セルＢでは、大セルＡに在圏する移動局１０から基地局２０Ｂが受信する上り方向信号のうち、受信レベルが最も大きい上り方向信号（例えば、基地局２０Ｂに地理的に近い移動局１０から受信する上り方向信号など）を基準として、小セルＢに在圏する移動局１０（移動局１０Ｅ及び移動局１０Ｆ）が送信する上り方向信号の送信タイミングが揃えられている。
【０１０１】
同様に、小セルＣでは、大セルＡに在圏する移動局１０から基地局２０Ｃが受信する上り方向信号のうち、受信レベルが最も大きい上り方向信号（例えば、基地局２０Ｃに地理的に近い移動局１０から受信する上り方向信号など）を基準として、小セルＣに在圏する移動局１０（移動局１０Ｇ及び移動局１０Ｈ）が送信する上り方向信号の送信タイミングが揃えられている。
【０１０２】
図１０（Ａ）に示すように、大セルＡに在圏する移動局１０（移動局１０Ａ〜移動局１０Ｄ）から基地局２０Ａが受信する上り方向信号の受信時間差は、所定閾値（ＣＰ）内に収まっている。また、各小セルに在圏する移動局１０が送信する上り方向信号の送信タイミングが各小セルで個別に揃えられた結果、小セルＢ及び小セルＣに在圏する移動局１０（移動局１０Ｅ〜移動局１０Ｈ）から基地局２０Ａが受信する上り方向信号の受信時間差も、所定閾値（ＣＰ）内に収まっている。
【０１０３】
図１０（Ｂ）に示すように、小セルＢに在圏する移動局１０（移動局１０Ｅ及び移動局１０Ｆ）から基地局２０Ｂが受信する上り方向信号の受信時間差は、大セルＡに在圏する移動局１０Ｃから受信する上り方向信号を基準として所定閾値（ＣＰ）内に収まっている。なお、大セルＡに在圏する他の移動局１０（移動局１０Ａ、移動局１０Ｂ及び移動局１０Ｄ）及び小セルＣに在圏する移動局１０（移動局１０Ｇ及び移動局１０Ｈ）から基地局２０Ｂが受信する上り方向信号の受信レベルは低いため、これらの上り方向信号が基地局２０Ｂに与える干渉は小さいことに留意すべきである。
【０１０４】
図１０（Ｃ）に示すように、小セルＣに在圏する移動局１０（移動局１０Ｇ及び移動局１０Ｈ）から基地局２０Ｃが受信する上り方向信号の受信時間差は、大セルＡに在圏する移動局１０Ｄから受信する上り方向信号を基準として所定閾値（ＣＰ）内に収まっている。なお、大セルＡに在圏する他の移動局１０（移動局１０Ａ、移動局１０Ｂ及び移動局１０Ｃ）及び小セルＢに在圏する移動局１０（移動局１０Ｅ及び移動局１０Ｆ）から基地局２０Ｃが受信する上り方向信号の受信レベルは低いため、これらの上り方向信号が基地局２０Ｃに与える干渉は小さいことに留意すべきである。
【０１０５】
なお、上述した一例では、大セルに設けられた基地局２０Ａが受信する全ての上り方向信号の受信時間差が所定閾値（ＣＰ）内に収まっているが、これに限定されるものではない。すなわち、小セルに在圏する移動局１０から基地局２０Ａが受信する上り方向信号の受信時間差は所定閾値（ＣＰ）内に収まっていないケースが生じてもよい。
【０１０６】
ここで、小セルのエリア面積が小さいため、小セルに在圏する移動局１０が送信する上り方向信号の送信電力は小さい。従って、小セルに在圏する移動局１０から基地局２０Ａが受信する上り方向信号の受信レベルは低く、これらの上り方向信号が基地局２０Ａに与える干渉は小さいことに留意すべきである。
【０１０７】
（作用及び効果）
第１実施形態によれば、小セルＢに設けられた基地局２０Ｂは、大セルＡに在圏する複数の移動局１０が上り方向信号を送信する送信タイミングが揃えられた後に、小セルＢに在圏する複数の移動局１０から受信する上り方向信号の受信時間差が所定閾値内に収まるように、小セルＢに在圏する複数の移動局１０が上り方向信号を送信する送信タイミングを揃える。
【０１０８】
従って、エリア面積が異なる複数種類のセルがオーバレイ構成を有する場合であっても、上り方向信号の受信特性の向上を図ることができる。
【０１０９】
ここで、一般的に、小セルＢに在圏する移動局１０は、大セルＡに在圏する移動局１０に比べて密集している。第１実施形態では、大セルＡ内において上り方向信号の送信タイミングを揃えた後に、小セルＢ内において上り方向信号の送信タイミングを揃える。
【０１１０】
従って、大セルＡに設けられた基地局２０Ａが小セルに在圏する移動局１０から受信する上り方向信号の受信時間差が所定閾値（ＣＰ）内に収まりやすい。
【０１１１】
小セルＢに設けられた基地局２０Ｂは、大セルＡに在圏する移動局１０から受信する基準上り方向信号を基準として、小セルＢに在圏する移動局１０が上り方向信号を送信する送信タイミングを揃える。従って、大セルに在圏する移動局１０から受信する上り方向信号が小セルに設けられた基地局２０Ｂに与える干渉を抑制することができる。
【０１１２】
［第２実施形態］
以下において、第２実施形態について図面を参照しながら説明する。以下においては、上述した第１実施形態と第２実施形態との相違点について主として説明する。
【０１１３】
具体的には、上述した第１実施形態では特に触れていないが、第２実施形態では、小セルに設けられた基地局２０は、大セルに在圏する移動局１０から受信する基準上り方向信号が複数であり、小セルに在圏する複数の移動局１０から受信する上り方向信号と基準上り方向信号との受信時間差が所定閾値（ＣＰ）内に収められないケースにおいて、基準上り方向信号を受信する少なくとも一つのアンテナのゲインを縮小する。
【０１１４】
ここで、基準上り方向信号は、大セルに在圏する移動局１０から受信する上り方向信号のうち、受信レベルが所定レベルを超える上り方向信号であってもよい。また、基準上り方向信号は、大セルに在圏する移動局１０から受信する上り方向信号のうち、受信レベルが所定レベルを超える上り方向信号であり、かつ、小セルに在圏する複数の移動局１０から受信する上り方向信号との受信時間差が所定時間差よりも大きい上り方向信号であってもよい。
【０１１５】
（小セルに設けられた基地局の構成）
以下において、第２実施形態に係る基地局の構成について、図面を参照しながら説明する。図１１は、第２実施形態に係る基地局２０（小セル）の構成を示すブロック図である。小セルに設けられた基地局２０として、上述した基地局２０Ｂを例に挙げて説明する。なお、図１１では、上述した図４と同様の構成について同様の符号を付していることに留意すべきである。
【０１１６】
図１１に示すように、基地局２０Ｂは、図４に示した構成に加えて、ゲイン調整部２７Ｂを有する。
【０１１７】
ここで、上述した第１受信部２１Ｂは、大セルＡ、小セルＢ及び小セルＣに在圏する移動局１０から上り方向信号を受信するアンテナ（不図示）を含む。
【０１１８】
上述した基準タイミング特定部２３Ｂは、大セルＡに在圏する移動局１０から受信する基準上り方向信号が複数である場合には、小セルＢに在圏する移動局１０が送信する上り方向信号の送信タイミングを揃えるために用いる基準上り方向信号（以下、特定基準上り方向信号）を特定する。一方で、基準タイミング特定部２３Ｂは、複数の基準上り方向信号のうち、特定基準上り方向信号以外の基準上り方向信号（以下、調整対象基準上り方向信号）を特定する。
【０１１９】
すなわち、基準タイミング特定部２３Ｂは、基地局２０Ｂが受信する特定基準上り方向信号の受信タイミングを基準タイミングとして特定する。
【０１２０】
ここで、基準上り方向信号は、例えば、大セルＡに在圏する移動局１０から受信する上り方向信号のうち、受信レベルが所定レベルよりも大きい上り方向信号である。基準上り方向信号は、例えば、大セルＡに在圏する移動局１０から受信する上り方向信号のうち、小セルＢに在圏する移動局１０から受信する上り方向信号との受信時間差が所定時間差よりも大きい上り方向信号である。基準上り方向信号は、例えば、基準上り方向信号は、大セルＡに在圏する移動局１０から受信する上り方向信号のうち、受信レベルが所定レベルよりも大きい上り方向信号であり、かつ、小セルに在圏する移動局１０から受信する上り方向信号との受信時間差が所定時間差よりも大きい上り方向信号である。
【０１２１】
ゲイン調整部２７Ｂは、調整対象基準上り方向信号を受信するアンテナのゲインが縮小するように、アンテナのゲインを調整する。
【０１２２】
（作用及び効果）
第２実施形態によれば、小セルＢに設けられた基地局２０Ｂは、大セルＡに在圏する移動局１０から受信する基準上り方向信号が複数である場合に、調整対象上り方向信号を受信するアンテナのゲインを縮小する。従って、大セルＡに在圏する移動局１０から受信する上り方向信号が小セルＢに設けられた基地局２０Ｂに与える干渉を抑制することができる。
【０１２３】
［第３実施形態］
以下において、第３実施形態について説明する。以下においては、上述した第１実施形態と第３実施形態との相違点について主として説明する。
【０１２４】
具体的には、上述した第１実施形態では特に触れていないが、第３実施形態では、小セルに設けられた基地局２０は、大セルに在圏する移動局１０から受信する基準上り方向信号が複数であり、小セルに在圏する複数の移動局１０から受信する上り方向信号と基準上り方向信号との受信時間差が所定閾値（ＣＰ）内に収められないケースにおいて、基準上り方向信号を送信する少なくとも一つの移動局１０（大セルに在圏する移動局１０）に対して、基準上り方向信号の送信電力の低減を指示する。
【０１２５】
なお、送信電力の低減指示は、小セルに設けられた基地局２０から、大セルに在圏する移動局１０に直接送信されてもよい。また、送信電力の低減指示は、小セルに設けられた基地局２０から、大セルに設けられた基地局２０を経由して、大セルに在圏する移動局１０に送信されてもよい。小セルに設けられた基地局２０と大セルに設けられた基地局２０との間において、送信電力の低減指示は、バックボーンネットワークを介して送信されてもよく、無線で直接送信されてもよい。
【０１２６】
ここで、基準上り方向信号は、大セルに在圏する移動局１０から受信する上り方向信号のうち、受信レベルが所定レベルを超える上り方向信号であってもよい。また、基準上り方向信号は、大セルに在圏する移動局１０から受信する上り方向信号のうち、受信レベルが所定レベルを超える上り方向信号であり、かつ、小セルに在圏する複数の移動局１０から受信する上り方向信号との受信時間差が所定時間差よりも大きい上り方向信号であってもよい。
【０１２７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２８】
例えば、上述した実施形態では、大セル内において上り方向信号の送信タイミングを揃えた後に、小セル内において上り方向信号の送信タイミングを揃えるが、これに限定されるものではない。具体的には、小セル内において上り方向信号の送信タイミングを揃えた後に、大セル内において上り方向信号の送信タイミングを揃えてもよい。このような場合には、大セル内に設けられた基地局２０は、第２実施形態と同様に、小セルに在圏する移動局１０から上り方向信号を受信するアンテナのゲインを調整してもよい。また、大セル内に設けられた基地局２０は、第３実施形態と同様に、小セルに在圏する移動局１０が送信する上り方向信号の送信電力の低減を指示してもよい。
【０１２９】
上述した実施形態では、基地局２０は、上り方向信号の遅延時間に基づいて上り方向信号の受信時間差を取得するが、これに限定されるものではない。具体的には、基地局２０は、ＲＴＴ（Ｒｏｕｎｄ  Ｔｒｉｐ  Ｔｉｍｅ）や遅延プロファイルを用いて上り方向信号の受信時間差を取得してもよい。
【図面の簡単な説明】
【０１３０】
【図１】第１実施形態に係る移動通信システムの構成を示す図である。
【図２】第１実施形態に係る移動局１０の構成を示すブロック図である。
【図３】第１実施形態に係る基地局２０（大セル）の構成を示すブロック図である。
【図４】第１実施形態に係る基地局２０（小セル）の構成を示すブロック図である。
【図５】第１実施形態に係る受信時間差について説明するための図である。
【図６】第１実施形態に係る移動通信方法を示すシーケンス図である。
【図７】第１実施形態に係る移動通信方法を示すシーケンス図である。
【図８】第１実施形態に係る受信タイミングの一例について説明するための図である。
【図９】第１実施形態に係る受信タイミングの一例について説明するための図である。
【図１０】第１実施形態に係る受信タイミングの一例について説明するための図である。
【図１１】第２実施形態に係る基地局２０（小セル）の構成を示すブロック図である。
【符号の説明】
【０１３１】
１０・・・移動局、１１・・・受信部、１２・・・送信タイミング制御部、１３・・・送信部、２０・・・基地局、２１Ａ・・・受信部、２１Ｂ・・・第１受信部、２２Ｂ・・・第２受信部、２３Ａ・・・基準タイミング特定部、２４Ａ・・・送信タイミング算出部、２５Ａ・・・第１送信部、２５Ｂ・・・送信部、２６Ａ・・・第２送信部、２７Ｂ・・・ゲイン調整部
【図１】
0004879100.tif 000002
【図２】
0004879100.tif 000003
【図３】
0004879100.tif 000004
【図４】
0004879100.tif 000005
【図５】
0004879100.tif 000006
【図６】
0004879100.tif 000007
【図７】
0004879100.tif 000008
【図８】
0004879100.tif 000009
【図９】
0004879100.tif 000010
【図１０】
0004879100.tif 000011
【図１１】
0004879100.tif 000012